(57)【要約】【課題】特色に対して適切な色変換を行う。【解決手段】プリンタコントローラ２０の記憶部２４には、特色を複数のカテゴリに分類したカテゴリ毎に、蛍光色用色変換テーブル２４１、メタリック色用色変換テーブル２４２、一般特色用色変換テーブル２４３が記憶されている。プリンタコントローラ２０は、特色毎に、ネットワークＩＦ部２５を介してクライアントＰＣから特色名と特色のカテゴリを取得し、測色器ＩＦ部２６を介して測色器４０から特色の色彩値を取得する。そして、記憶部２４に記憶されている複数の色変換テーブルの中から特色のカテゴリに応じた色変換テーブルを選択し、選択された色変換テーブルに基づいて特色の色彩値をデバイス値に変換する。【選択図】図３
2012105233.tif 000002
【特許請求の範囲】
【請求項１】
特色を画像形成装置の出力色に対応する複数の色の値の組み合わせに変換する色変換方法であって、
特色毎に、特色名、特色を複数のカテゴリに分類したカテゴリ及び当該特色の色彩値を取得する工程と、
前記カテゴリ毎に予め記憶部に記憶されている、色彩値に対応する前記複数の色の値の組み合わせを示す複数の色変換テーブルの中から前記取得された特色のカテゴリに応じた色変換テーブルを選択する工程と、
当該選択された色変換テーブルに基づいて前記取得された特色の色彩値を前記複数の色の値の組み合わせに変換する工程と、
を含む色変換方法。
【請求項２】
前記カテゴリは、蛍光色からなるカテゴリ又はメタリック色からなるカテゴリを含む、
請求項１に記載の色変換方法。
【請求項３】
前記複数の色変換テーブルは、予め定められた色の範囲に対して、同一の色彩値をそれぞれ変換して得られる前記複数の色の値の組み合わせに基づいて前記画像形成装置により形成される色の明度又は色相が異なるものである、
請求項１又は２に記載の色変換方法。
【請求項４】
前記カテゴリは、蛍光色からなるカテゴリと所定の特色からなるカテゴリとを含み、
前記蛍光色に対応する色変換テーブルは、前記所定の特色に対応する色変換テーブルと比較して、予め定められた色の範囲に対して、同一の色彩値をそれぞれ変換して得られる前記複数の色の値の組み合わせに基づいて前記画像形成装置により形成される色の明度がより高くなるように変換するものである、
請求項１に記載の色変換方法。
【請求項５】
前記カテゴリは、蛍光色からなるカテゴリと所定の特色からなるカテゴリとを含み、
前記蛍光色に対応する色変換テーブルは、前記所定の特色に対応する色変換テーブルと比較して、予め定められた色の範囲に対して、同一の色彩値をそれぞれ変換して得られる前記複数の色の値の組み合わせに基づいて前記画像形成装置により形成される色の色相角がより大きくなるように変換するものである、
請求項１に記載の色変換方法。
【請求項６】
前記カテゴリは、メタリック色からなるカテゴリと所定の特色からなるカテゴリとを含み、
前記メタリック色に対応する色変換テーブルは、前記所定の特色に対応する色変換テーブルと比較して、予め定められた色の範囲に対して、同一の色彩値をそれぞれ変換して得られる前記複数の色の値の組み合わせに基づいて前記画像形成装置により形成される色の明度がより高くなるように変換するものである、
請求項１に記載の色変換方法。
【請求項７】
前記画像形成装置の出力色は、シアン、マゼンタ、イエロー及びブラックである、
請求項１から６のいずれか一項に記載の色変換方法。
【請求項８】
特色を画像形成装置の出力色に対応する複数の色の値の組み合わせに変換する色変換装置であって、
特色を複数のカテゴリに分類したカテゴリ毎に、色彩値に対応する前記複数の色の値の組み合わせを示す複数の色変換テーブルを記憶する記憶部と、
特色毎に、特色名、当該特色のカテゴリ及び当該特色の色彩値を取得し、前記記憶部に記憶されている複数の色変換テーブルの中から前記取得された特色のカテゴリに応じた色変換テーブルを選択し、当該選択された色変換テーブルに基づいて前記取得された特色の色彩値を前記複数の色の値の組み合わせに変換する制御部と、
を備える色変換装置。
【請求項９】
画像形成装置と、特色を前記画像形成装置の出力色に対応する複数の色の値の組み合わせに変換する色変換装置と、を備える画像形成システムであって、
前記色変換装置は、
特色を複数のカテゴリに分類したカテゴリ毎に、色彩値に対応する前記複数の色の値の組み合わせを示す複数の色変換テーブルを記憶する記憶部と、
特色毎に、特色名、当該特色のカテゴリ及び当該特色の色彩値を取得し、前記記憶部に記憶されている複数の色変換テーブルの中から前記取得された特色のカテゴリに応じた色変換テーブルを選択し、当該選択された色変換テーブルに基づいて前記取得された特色の色彩値を前記複数の色の値の組み合わせに変換する制御部と、
前記変換された複数の色の値の組み合わせを前記画像形成装置に送信する送信部と、
を備える画像形成システム。
【発明の詳細な説明】
【技術分野】
【０００１】
本発明は、色変換方法、色変換装置及び画像形成システムに関する。
【背景技術】
【０００２】
従来、複写機やプリンタ等の画像形成装置では、画像形成装置の出力色（シアン（Ｃ）、マゼンタ（Ｍ）、イエロー（Ｙ）、ブラック（Ｋ）等）に色変換された後のデータに基づいて画像形成が行われる。
【０００３】
印刷業界においては、ＤＩＣカラーガイド（登録商標）等の色見本により、特色が指定される場合があるが、特色に対して通常の色変換を行ってしまうと、目的とする色に近付けるのが困難な場合がある。
【０００４】
そこで、プリンタの色再現範囲外の特色については、色再現範囲外のプロセスカラーとは異なる色変換を行う色調整方法が提案されている（特許文献１参照）。
また、通常色と特色とを、異なる色変換テーブルにより色変換するカラーマッチング方法が提案されている（特許文献２参照）。
【先行技術文献】
【特許文献】
【０００５】
【特許文献１】特開２００４−８８２１７号公報
【特許文献２】特開２０１０−１０８６２号公報
【発明の概要】
【発明が解決しようとする課題】
【０００６】
しかしながら、特色には、蛍光色（一般的に、紫外線を可視光に変換して放出する成分を含む）、メタリック色（一般的に、金属様の反射をもつ微粒子を含む）等、質感、見た目が特徴的なものがあるため、特色を画像形成装置の出力色であるＣＭＹＫ値に変換する際に、特色の色彩値を基準にして、特色全般に対して一つの色変換テーブルで色変換を行うと、発光や反射光の影響等により、見た目と異なる結果になる場合があった。
【０００７】
画像形成装置により形成される色を、特色の見た目に近付けるためには、調整・修正が必要であるが、特色のＣＭＹＫ値を個別に調整・修正するのは熟練を要し、手間がかかる。また、特定の色のみを調整すると、近い色の特色間の明暗、濃淡、色相等の関係が逆転する場合があり、問題であった。
【０００８】
本発明は上記の従来技術における問題に鑑みてなされたものであって、特色に対して適切な色変換を行うことを課題とする。
【課題を解決するための手段】
【０００９】
上記課題を解決するために、請求項１に記載の発明は、特色を画像形成装置の出力色に対応する複数の色の値の組み合わせに変換する色変換方法であって、特色毎に、特色名、特色を複数のカテゴリに分類したカテゴリ及び当該特色の色彩値を取得する工程と、前記カテゴリ毎に予め記憶部に記憶されている、色彩値に対応する前記複数の色の値の組み合わせを示す複数の色変換テーブルの中から前記取得された特色のカテゴリに応じた色変換テーブルを選択する工程と、当該選択された色変換テーブルに基づいて前記取得された特色の色彩値を前記複数の色の値の組み合わせに変換する工程と、を含む。
【００１０】
請求項２に記載の発明は、請求項１に記載の色変換方法において、前記カテゴリは、蛍光色からなるカテゴリ又はメタリック色からなるカテゴリを含む。
【００１１】
請求項３に記載の発明は、請求項１又は２に記載の色変換方法において、前記複数の色変換テーブルは、予め定められた色の範囲に対して、同一の色彩値をそれぞれ変換して得られる前記複数の色の値の組み合わせに基づいて前記画像形成装置により形成される色の明度又は色相が異なるものである。
【００１２】
請求項４に記載の発明は、請求項１に記載の色変換方法において、前記カテゴリは、蛍光色からなるカテゴリと所定の特色からなるカテゴリとを含み、前記蛍光色に対応する色変換テーブルは、前記所定の特色に対応する色変換テーブルと比較して、予め定められた色の範囲に対して、同一の色彩値をそれぞれ変換して得られる前記複数の色の値の組み合わせに基づいて前記画像形成装置により形成される色の明度がより高くなるように変換するものである。
【００１３】
請求項５に記載の発明は、請求項１に記載の色変換方法において、前記カテゴリは、蛍光色からなるカテゴリと所定の特色からなるカテゴリとを含み、前記蛍光色に対応する色変換テーブルは、前記所定の特色に対応する色変換テーブルと比較して、予め定められた色の範囲に対して、同一の色彩値をそれぞれ変換して得られる前記複数の色の値の組み合わせに基づいて前記画像形成装置により形成される色の色相角がより大きくなるように変換するものである。
【００１４】
請求項６に記載の発明は、請求項１に記載の色変換方法において、前記カテゴリは、メタリック色からなるカテゴリと所定の特色からなるカテゴリとを含み、前記メタリック色に対応する色変換テーブルは、前記所定の特色に対応する色変換テーブルと比較して、予め定められた色の範囲に対して、同一の色彩値をそれぞれ変換して得られる前記複数の色の値の組み合わせに基づいて前記画像形成装置により形成される色の明度がより高くなるように変換するものである。
【００１５】
請求項７に記載の発明は、請求項１から６のいずれか一項に記載の色変換方法において、前記画像形成装置の出力色は、シアン、マゼンタ、イエロー及びブラックである。
【００１６】
請求項８に記載の発明は、特色を画像形成装置の出力色に対応する複数の色の値の組み合わせに変換する色変換装置であって、特色を複数のカテゴリに分類したカテゴリ毎に、色彩値に対応する前記複数の色の値の組み合わせを示す複数の色変換テーブルを記憶する記憶部と、特色毎に、特色名、当該特色のカテゴリ及び当該特色の色彩値を取得し、前記記憶部に記憶されている複数の色変換テーブルの中から前記取得された特色のカテゴリに応じた色変換テーブルを選択し、当該選択された色変換テーブルに基づいて前記取得された特色の色彩値を前記複数の色の値の組み合わせに変換する制御部と、を備える。
【００１７】
請求項９に記載の発明は、画像形成装置と、特色を前記画像形成装置の出力色に対応する複数の色の値の組み合わせに変換する色変換装置と、を備える画像形成システムであって、前記色変換装置は、特色を複数のカテゴリに分類したカテゴリ毎に、色彩値に対応する前記複数の色の値の組み合わせを示す複数の色変換テーブルを記憶する記憶部と、特色毎に、特色名、当該特色のカテゴリ及び当該特色の色彩値を取得し、前記記憶部に記憶されている複数の色変換テーブルの中から前記取得された特色のカテゴリに応じた色変換テーブルを選択し、当該選択された色変換テーブルに基づいて前記取得された特色の色彩値を前記複数の色の値の組み合わせに変換する制御部と、前記変換された複数の色の値の組み合わせを前記画像形成装置に送信する送信部と、を備える。
【発明の効果】
【００１８】
本発明によれば、特色に対して適切な色変換を行うことができる。
【図面の簡単な説明】
【００１９】
【図１】画像形成システムのシステム構成図である。
【図２】クライアントＰＣの機能的構成を示すブロック図である。
【図３】プリンタコントローラの機能的構成を示すブロック図である。
【図４】（ａ）は、蛍光色用色変換テーブルの例である。（ｂ）は、メタリック色用色変換テーブルの例である。（ｃ）は、一般特色用色変換テーブルの例である。
【図５】蛍光色用の明度の変更値を示す図である。
【図６】蛍光色用の色相角の変更値を示す図である。
【図７】メタリック色用の明度の変更値を示す図である。
【図８】色分解テーブルの例である。
【図９】第１の実施の形態における第１の色分解テーブル作成処理を示すフローチャートである。
【図１０】第２の実施の形態における第２の色分解テーブル作成処理を示すフローチャートである。
【図１１】第３の実施の形態における第１の色変換処理を示すフローチャートである。
【図１２】第４の実施の形態における第２の色変換処理を示すフローチャートである。
【発明を実施するための形態】
【００２０】
［第１の実施の形態］
まず、本発明に係る色変換方法の第１の実施の形態について説明する。
図１に、画像形成システム１のシステム構成を示す。図１に示すように、画像形成システム１は、クライアントＰＣ（Personal Computer）１０、色変換装置としてのプリンタコントローラ２０、画像形成装置としてのプリンタ３０を備えて構成されている。クライアントＰＣ１０とプリンタコントローラ２０とは、通信ネットワークＮを介してデータ通信可能に接続されている。プリンタコントローラ２０とプリンタ３０とは、専用インターフェース用バスを介して接続されている。また、プリンタコントローラ２０は、プリンタ３０に内蔵されていてもよい。
【００２１】
図２に、クライアントＰＣ１０の機能的構成を示す。図２に示すように、クライアントＰＣ１０は、ＣＰＵ（Central Processing Unit）１１、ＲＯＭ（Read Only Memory）１２、ＲＡＭ（Random Access Memory）１３、記憶部１４、操作部１５、表示部１６、ネットワークＩＦ（InterFace）部１７等を備えて構成され、各部はバス１８により接続されている。
【００２２】
ＣＰＵ１１は、クライアントＰＣ１０の各部の処理動作を統括的に制御する。ＣＰＵ１１は、操作部１５から入力される操作信号又はネットワークＩＦ部１７により受信した指示信号に応じて、ＲＯＭ１２又は記憶部１４に格納されている各種処理プログラムを読み出してＲＡＭ１３に展開し、当該プログラムとの協働により各種処理を実行する。
【００２３】
ＲＯＭ１２は、不揮発性の半導体メモリ等により構成され、制御プログラム、当該プログラムの実行に必要なパラメータやファイル等を記憶している。
【００２４】
ＲＡＭ１３は、ＣＰＵ１１により実行される各種処理プログラム及びこれらプログラムに係るデータを一時的に記憶するワークエリアを形成する。
【００２５】
記憶部１４は、ハードディスク等の記憶装置からなり、各種処理プログラムや各種処理に関するデータ等を記憶する。
【００２６】
操作部１５は、カーソルキー、文字入力キー、及び各種機能キー等を備えたキーボードと、マウス等のポインティングデバイスを備えて構成され、ユーザによる操作入力を受け付ける。操作部１５は、キーボードに対するキー操作やマウス操作により入力された操作信号をＣＰＵ１１に出力する。
【００２７】
表示部１６は、ＬＣＤ（Liquid Crystal Display）を備え、ＣＰＵ１１からの指示に従って、各種操作画面や各種処理結果を表示する。
【００２８】
ネットワークＩＦ部１７は、通信ネットワークＮを介して外部装置との間でデータの送受信を行う。例えば、ネットワークＩＦ部１７は、プリンタコントローラ２０に特色に関するデータ（特色名、カテゴリ等）や画像データを送信する。
【００２９】
図３に、プリンタコントローラ２０の機能的構成を示す。図３に示すように、プリンタコントローラ２０は、ＣＰＵ２１、ＲＯＭ２２、ＲＡＭ２３、記憶部２４、ネットワークＩＦ部２５、測色器ＩＦ部２６、プリンタＩＦ部２７等を備えて構成され、各部はバス２８により接続されている。
【００３０】
ＣＰＵ２１は、プリンタコントローラ２０の各部の処理動作を統括的に制御する。ＣＰＵ２１は、ネットワークＩＦ部２５により受信した指示信号に応じて、ＲＯＭ２２に格納されている各種処理プログラムを読み出してＲＡＭ２３に展開し、当該プログラムとの協働により各種処理を実行する。
【００３１】
ＲＯＭ２２は、不揮発性の半導体メモリ等により構成され、制御プログラム、当該プログラムの実行に必要なパラメータやファイル等を記憶している。
【００３２】
ＲＡＭ２３は、ＣＰＵ２１により実行される各種処理プログラム及びこれらプログラムに係るデータを一時的に記憶するワークエリアを形成する。
【００３３】
記憶部２４は、ハードディスク等の記憶装置からなり、各種データを記憶する。記憶部２４には、特色を複数のカテゴリに分類したカテゴリ毎に、蛍光色用色変換テーブル２４１、メタリック色用色変換テーブル２４２、一般特色用色変換テーブル２４３が記憶されている。特色のカテゴリとして、蛍光色からなるカテゴリ、メタリック色からなるカテゴリ、一般特色からなるカテゴリの３種を用いる。ここで、一般特色は、蛍光色及びメタリック色以外の特色を指す。また、蛍光色用色変換テーブル２４１及びメタリック色用色変換テーブル２４２を作成する際の比較基準となる「所定の特色」として、この一般特色を用いる。なお、記憶部２４には、特色以外の通常のプロセスカラー用の色変換テーブルも記憶されている。
【００３４】
図４（ａ）〜（ｃ）は、それぞれ、蛍光色用色変換テーブル２４１、メタリック色用色変換テーブル２４２、一般特色用色変換テーブル２４３の例である。これらの色変換テーブル２４１，２４２，２４３は、ＩＣＣデバイスプロファイルのＢtoＡテーブルと実質的に同様であり、色彩値（Ｌ＊ａ＊ｂ＊）に対してプリンタ３０の出力色に対応する複数の色の値の組み合わせ（以下、デバイス値という。）（ＣＭＹＫ値）が対応付けられている。各色変換テーブル２４１，２４２，２４３には、色彩値及びデバイス値が離散的に格納されているが、補間計算により、色空間全体の色彩値に対して対応するデバイス値を求めることができる。
【００３５】
蛍光色用色変換テーブル２４１は、蛍光色素を含むインキの色をプリンタ３０にて出力する場合に用いる色変換テーブルである。蛍光色は、電子写真により表現可能な色域との差が大きく、蛍光物質による反射光の波長変化もあるため、通常の色変換テーブルでは色変換結果が暗すぎ、色によっては色相の印象も異なることを考慮して、蛍光色用色変換テーブル２４１が用意されている。
【００３６】
メタリック色用色変換テーブル２４２は、金属粉末を含むインキの色をプリンタ３０にて出力する場合に用いる色変換テーブルである。メタリック色は、反射光が目視に与える影響のため、通常の色変換テーブルでは色変換結果が暗すぎることを考慮して、メタリック色用色変換テーブル２４２が用意されている。
【００３７】
一般特色用色変換テーブル２４３は、入力された色彩値と、プリンタ３０により形成される色の測色値と、が実質的に色相角を変えない範囲で色差を最小とするような変換を行うものである。一般特色用色変換テーブル２４３の作成には、公知のプリンタプロファイル作成におけるＢtoＡテーブル作成方法を用いることができ、特に測色レンダリングインテントのＢtoＡテーブル作成方法を用いることが好ましい。
【００３８】
各色変換テーブル２４１，２４２，２４３は、予め定められた色の範囲に対して、同一の色彩値をそれぞれ変換して得られるデバイス値に基づいてプリンタ３０により形成される色の明度又は色相が異なるものである。すなわち、各色変換テーブル２４１，２４２，２４３は、全ての色に対して色変換結果が異なる必要はなく、色変換結果が部分的に異なるものであればよい。
明度を異ならせる場合には、例えば、同一の色彩値が入力された場合に、変換後のデバイス値に基づいてプリンタ３０により形成される色の明度Ｌ＊が２〜１５（より好ましくは２〜６）異なるように変換される範囲を、入力色彩値の明度Ｌ＊が５以上の幅にわたって設ける。
色相を異ならせる場合には、例えば、同一の色彩値が入力された場合に、変換後のデバイス値に基づいてプリンタ３０により形成される色のａ＊ｂ＊平面上の色相角ｈが３〜２５度（より好ましくは３〜１５度）異なるように変換される範囲を、入力色彩値の色相角ｈが３度以上の幅にわたって設ける。
【００３９】
蛍光色用色変換テーブル２４１は、一般特色用色変換テーブル２４３と比較して、予め定められた色の範囲に対して、同一の色彩値をそれぞれ変換して得られるデバイス値に基づいてプリンタ３０により形成される色の明度がより高くなるように変換するものであることが好ましい。例えば、同一の色彩値が入力された場合に、変換後のデバイス値により形成される色の明度Ｌ＊が２〜１５（より好ましくは２〜６）高くなるように変換される範囲を、入力色彩値の明度Ｌ＊が５以上の幅にわたって設ける。特に、色域外の色において、明度Ｌ＊がより高くなるようにする。
【００４０】
より具体的には、蛍光色用色変換テーブル２４１による色変換の結果は、入力された色彩値の明度Ｌ＊の値を、ＬＫ０以下において±０、ＬＫ１（＞ＬＫ０）においてＬＫ２、ＬＫ３（又はデバイス白色点のＬ＊からＬＫ４を引いた値のいずれか小さい方）（＞ＬＫ１）においてＬＫ４、デバイス白色点において±０（各明度の間は線形補間する）だけ変更した後に、一般特色用色変換テーブル２４３により色変換を行った結果に相当する。デバイス白色点は、プリンタ３０で用いる用紙の色（紙白）を示す。ただし、ＬＫ０＝４０〜５４、ＬＫ１＝５５〜６５、ＬＫ２＝＋２〜＋６、ＬＫ３＝７０〜９０、ＬＫ４＝＋２〜＋６である。
【００４１】
ここで、ＬＫ０〜ＬＫ４の最適値の検討方法について説明する。
まず、入力された色彩値の明度Ｌ＊の値をどのくらい上げるかを決める。東洋インキ製造株式会社（登録商標）の「カラーファインダー（登録商標）」の蛍光特色１０色について、測定器X-Rite（登録商標）社eye-oneで測定した色彩値を元に、プリンタ３０としてbizhub（登録商標） PRO C6500を用い、ＬＫ０＝デバイス最暗色、ＬＫ１＝デバイス最暗色＋ＬＫ２、ＬＫ３＝デバイス白色−ＬＫ４（実質的に範囲が全明度域にわたることになる）、ＬＫ２＝ＬＫ４とし、これを変化させて色変換し、出力を行った。出力物をカラーファインダーのパッチと見比べ、色再現の好ましさを１〜５の５段階で評価した。なお、５が最良、１が最悪、３以上が実用上許容できるレベルの近似とし、色調整経験者５名の平均値（小数第二位を四捨五入）を算出した。この結果を表１に示す。
【００４２】
【表１】
2012105233.tif 000003
【００４３】
次に、明度Ｌ＊のどの範囲を上げるかを決める。上記条件と同様の条件下において、ＬＫ２＝ＬＫ４＝４とし、ＬＫ１とＬＫ３を変化させて、蛍光特色１０色と、白〜黒のグラデーションチャート（ＣＫＹＫデータで作成）を色変換し、出力を行った。グラデーションチャートについては、色の変化の滑らかさを５段階で評価した（一般的な蛍光特色とは異なる色彩値が入力された場合にも全体的に適切な階調のつながりを持った変換が可能か否かの確認）。この結果を表２に示す。
【００４４】
【表２】
2012105233.tif 000004
【００４５】
上記条件と同様の条件下において、更に、ＬＫ１＝６０、ＬＫ３＝７８とし、ＬＫ０を変化させて、同様に評価を行った。この結果を表３に示す。
【００４６】
【表３】
2012105233.tif 000005
【００４７】
以上の結果から、効果があり、かつ、不具合のない範囲として、上記記載の数値範囲を決定した。
【００４８】
図５に、蛍光色用色変換テーブル２４１を明度Ｌ＊の変更と一般特色用色変換テーブル２４３とに分けた場合の明度Ｌ＊の変更値を示す。図５は、ＬＫ０＝５０、ＬＫ１＝６０、ＬＫ２＝＋３、ＬＫ３（又はデバイス白色点のＬ＊から３を引いた値のいずれか小さい方）＝８５、ＬＫ４＝＋３の場合の例である。
【００４９】
また、蛍光色用色変換テーブル２４１は、一般特色用色変換テーブル２４３と比較して、予め定められた色の範囲に対して、同一の色彩値をそれぞれ変換して得られるデバイス値に基づいてプリンタ３０により形成される色の色相角がより大きくなるように変換するものであることが好ましい。例えば、同一の色彩値が入力された場合に、変換後のデバイス値により形成される色のａ＊ｂ＊平面上の色相角ｈが、＋ａ＊方向を０度、＋ｂ＊方向を＋９０度、−ｂ＊方向を−９０度としたときの−５０〜１０度の領域において、色相角hが３〜２５度（より好ましくは３〜１５度）大きくなるように変換される範囲を、入力色彩値の色相角ｈが３度以上の幅にわたって設ける。特に、色域外の色において、色相角hがより大きくなるようにする。
【００５０】
より具体的には、蛍光色用色変換テーブル２４１による色変換の結果は、入力された色彩値のａ＊ｂ＊平面上の色相角ｈの値を、＋ａ＊方向を０度、＋ｂ＊方向を＋９０度、−ｂ＊方向を−９０度としたときのｈ０度において±０、ｈ１（＞ｈ０）度においてｈ２度、ｈ３（＞ｈ１）度においてｈ４度、ｈ５（＞ｈ３）度において±０（各色相角の間は線形補間する）だけ変更した後に、一般特色用色変換テーブル２４３により色変換を行った結果に相当する。ただし、ｈ０＝−５５〜−４５、ｈ１＝−４０〜−２０、ｈ２＝＋３〜＋１５、ｈ３＝−２０〜０、ｈ４＝＋３〜＋１５、ｈ５＝＋５〜＋１５である。
【００５１】
ここで、ｈ０〜ｈ５の最適値の検討方法について説明する。
まず、入力された色彩値の色相角ｈの値をどのくらい上げるかを決める。東洋インキ製造株式会社の「カラーファインダー」の蛍光特色１０色について、測定器X-Rite社eye-oneで測定した色彩値を元に、プリンタ３０としてbizhub PRO C6500を用い、ＬＫ２＝ＬＫ４＝４、ＬＫ１＝６０、ＬＫ３＝７８、ＬＫ０＝４５とし、また、ｈ０＝−９０、ｈ１＝ｈ０＋(２＊ｈ２)、ｈ３＝ｈ５−(２＊ｈ２)、ｈ５＝＋９０、更に、ｈ２＝ｈ４とし、これを変化させて色変換し、出力を行った。出力物をカラーファインダーのパッチと見比べ、色再現の好ましさを１〜５の５段階で評価した。なお、５が最良、１が最悪、３以上が実用上許容できるレベルの近似とし、色調整経験者５名の平均値（小数第二位を四捨五入）を算出した。この結果を表４に示す。
【００５２】
【表４】
2012105233.tif 000006
【００５３】
次に、色相角ｈのどの範囲を上げるかを決める。上記条件と同様の条件下において、上記条件同様、ただし、ｈ２＝ｈ４＝４とし、ｈ０＝ｈ１−１２、ｈ５＝ｈ３＋１２とし、ｈ１とｈ３を変化させて、蛍光特色１０色と、色相変化のグラデーションチャートを色変換し、出力を行った。グラデーションチャートはＣ〜Ｂ〜Ｍ〜Ｒ〜Ｙ〜Ｇ〜Ｃと変化するものであり、ＣＫＹＫデータで作成した。Ｂ（ブルー）はＣ＋Ｍ、Ｒ（レッド）はＭ＋Ｙ、Ｇ（グリーン）はＹ＋Ｃである。グラデーションチャートについては、色の変化の滑らかさを５段階で評価した（一般的な蛍光特色とは異なる色彩値が入力された場合にも全体的に適切な階調のつながりを持った変換が可能か否かの確認）。この結果を表５に示す。
【００５４】
【表５】
2012105233.tif 000007
【００５５】
上記条件と同様の条件下において、更にｈ１＝−３０、ｈ３＝−５とし、ｈ０とｈ５をそれぞれ変化させて、同様に評価を行った。この結果を表６に示す。
【００５６】
【表６】
2012105233.tif 000008
【００５７】
以上の結果から、効果があり、かつ、不具合のない範囲として、上記記載の数値範囲を決定した。
【００５８】
図６に、蛍光色用色変換テーブル２４１を色相角ｈの変更と一般特色用色変換テーブル２４３とに分けた場合の色相角ｈの変更値を示す。図６は、ｈ０＝−５０、ｈ１＝−３０、ｈ２＝＋１５、ｈ３＝−１０、ｈ４＝＋１５、ｈ５＝１０の場合の例である。
【００５９】
また、メタリック色用色変換テーブル２４２は、一般特色用色変換テーブル２４３と比較して、予め定められた色の範囲に対して、同一の色彩値をそれぞれ変換して得られるデバイス値に基づいてプリンタ３０により形成される色の明度がより高くなるように変換するものであることが好ましい。例えば、同一の色彩値が入力された場合に、変換後のデバイス値により形成される色の明度Ｌ＊が２〜１５（より好ましくは２〜６）高くなるように変換される範囲を、入力色彩値の明度Ｌ＊が５以上の幅にわたって設ける。特に、色域内の色において、明度Ｌ＊がより高くなるようにする。
【００６０】
より具体的には、メタリック色用色変換テーブル２４２による色変換の結果は、入力された色彩値の明度Ｌ＊の値を、ＬＭ０以下において±０、ＬＭ１（＞ＬＭ０）においてＬＭ２、ＬＭ３（又はデバイス白色点のＬ＊からＬＭ４を引いた値のいずれか小さい方）（＞ＬＭ１）においてＬＭ４、デバイス白色点において±０（各明度の間は線形補間する）だけ変更した後に、一般特色用色変換テーブル２４３により色変換を行った結果に相当する。ただし、ＬＭ０＝２５〜３５、ＬＭ１＝４０〜６０、ＬＭ２＝＋２〜＋６、ＬＭ３＝６５〜８５、ＬＭ４＝＋２〜＋６である。
【００６１】
ここで、ＬＭ０〜ＬＭ４の最適値の検討方法について説明する。
まず、入力された色彩値の明度Ｌ＊の値をどのくらい上げるかを決める。東洋インキ製造株式会社の「カラーファインダー」のメタリック特色２４色について、測定器X-Rite社eye-oneで測定した色彩値を元に、プリンタ３０としてbizhub PRO C6500を用い、ＬＭ０＝デバイス最暗色、ＬＭ１＝デバイス最暗色＋ＬＭ２、ＬＭ３＝デバイス白色−ＬＭ４（実質的に範囲が全明度域にわたることになる）、ＬＭ２＝ＬＭ４とし、これを変化させて色変換し、出力を行った。出力物をカラーファインダーのパッチと見比べ、色再現の好ましさを１〜５の５段階で評価した。なお、５が最良、１が最悪、３以上が実用上許容できるレベルの近似とし、色調整経験者５名の平均値（小数第二位を四捨五入）を算出した。この結果を表７に示す。
【００６２】
【表７】
2012105233.tif 000009
【００６３】
次に、明度Ｌ＊のどの範囲を上げるかを決める。上記条件と同様の条件下において、ＬＭ２＝ＬＭ４＝４とし、ＬＭ１とＬＭ３を変化させて、メタリック特色２４色と、白〜黒のグラデーションチャート（ＣＫＹＫデータで作成）を色変換し、出力を行った。グラデーションチャートについては、色の変化の滑らかさを５段階で評価した（一般的なメタリック特色とは異なる色彩値が入力された場合にも全体的に適切な階調のつながりを持った変換が可能か否かの確認）。この結果を表８に示す。
【００６４】
【表８】
2012105233.tif 000010
【００６５】
上記条件と同様の条件下において、更に、ＬＭ１＝５０、ＬＭ３＝７３とし、ＬＭ０を変化させて、同様に評価を行った。この結果を表９に示す。
【００６６】
【表９】
2012105233.tif 000011
【００６７】
以上の結果から、効果があり、かつ、不具合のない範囲として、上記記載の数値範囲を決定した。
【００６８】
図７に、メタリック色用色変換テーブル２４２を明度Ｌ＊の変更と一般特色用色変換テーブル２４３とに分けた場合の明度Ｌ＊の変更値を示す。図７は、ＬＭ０＝３０、ＬＭ１＝４５、ＬＭ２＝＋６、ＬＭ３（又はデバイス白色点のＬ＊から３を引いた値のいずれか小さい方）＝７５、ＬＭ４＝＋３の場合の例である。
【００６９】
ネットワークＩＦ部２５は、通信ネットワークＮを介して外部装置との間でデータの送受信を行う。例えば、ネットワークＩＦ部２５は、クライアントＰＣ１０から特色に関するデータ（特色名、カテゴリ等）や画像データを受信する。
【００７０】
測色器ＩＦ部２６は、測色器４０から測色データ（色彩値）を受信する。測色データは、Ｌ＊ａ＊ｂ＊、ＸＹＺ等のデバイスに依存しない表色系で表される。
【００７１】
プリンタＩＦ部２７は、プリンタ３０との間でデータの入出力を行う。プリンタＩＦ部２７は、プリンタ３０に対して色変換後の画像データ（ＣＭＹＫ値）を送信する。
【００７２】
ＣＰＵ２１は、ＲＯＭ２２に記憶されているプログラムとの協働により、特色毎に、特色名、特色のカテゴリ及び特色の色彩値を取得し、記憶部２４に記憶されている複数の色変換テーブルの中から特色のカテゴリに応じた色変換テーブルを選択し、選択された色変換テーブルに基づいて特色の色彩値をデバイス値に変換する。そして、ＣＰＵ２１は、特色名と特色に対応するデバイス値とを対応付ける色分解テーブルを作成する。図８に、色分解テーブルの例を示す。色分解テーブルは、特色テーブル、特色ライブラリ、スポットカラーテーブル等とも呼ばれる。一般的には、色見本シリーズ別（ＤＩＣカラーガイド等）、インキメーカー別、ユーザのオリジナル等、複数のリストに分けて用意される。
【００７３】
プリンタ３０は、プリンタコントローラ２０から受信した色変換後の画像データ（ＣＭＹＫ値）に基づいて、用紙上に画像形成を行う画像形成装置である。例えば、プリンタ３０は、電子写真方式の画像形成を行うものであり、感光ドラム、感光ドラムの帯電を行う帯電部、画像データに基づいて感光ドラム表面を露光走査する露光部、感光ドラムにトナーを付着させる現像部、感光ドラム上に形成されたトナー像を印刷用紙に転写する転写部、印刷用紙上に形成されたトナー像を定着させる定着部等から構成される。
【００７４】
次に、第１の実施の形態における動作について説明する。
図９は、プリンタコントローラ２０により実行される第１の色分解テーブル作成処理を示すフローチャートである。この処理は、ユーザが入力した特色名、色彩値、カテゴリに基づいて色分解テーブルを作成する場合の例であり、ＣＰＵ２１と、ＲＯＭ２２に記憶されているプログラムとの協働によるソフトウェア処理によって実現される。
【００７５】
まず、ユーザがクライアントＰＣ１０において、操作部１５から登録すべき特色の特色名と特色のカテゴリを入力する。入力された特色名と特色のカテゴリは、ＣＰＵ１１により、ネットワークＩＦ部１７を介してプリンタコントローラ２０に送信される。プリンタコントローラ２０では、ＣＰＵ２１により、ネットワークＩＦ部２５を介してクライアントＰＣ１０から特色名と特色のカテゴリが取得される（ステップＳ１）。取得された特色名と特色のカテゴリは、ＣＰＵ２１により、ＲＡＭ２３に格納される。
【００７６】
次に、測色器４０により特色インキの印刷見本の色彩値が測定され、ＣＰＵ２１により、測色器ＩＦ部２６を介して特色の色彩値が取得される（ステップＳ２）。本実施の形態では、色彩値としてＬ＊ａ＊ｂ＊表色系で表された値を用いるが、他の表色系で表された値であってもよい。取得された特色の色彩値は、ＣＰＵ２１により、ＲＡＭ２３に格納される。なお、ユーザがクライアントＰＣ１０の操作部１５から色彩値を入力してもよい。
【００７７】
次に、ＣＰＵ２１により、記憶部２４に記憶されている複数の色変換テーブル（蛍光色用色変換テーブル２４１、メタリック色用色変換テーブル２４２、一般特色用色変換テーブル２４３）の中から、ステップＳ１で取得された特色のカテゴリに応じた色変換テーブルが選択される（ステップＳ３）。
【００７８】
次に、ＣＰＵ２１により、ステップＳ３で選択された色変換テーブルに基づいて、ステップＳ２で取得された特色の色彩値（Ｌ＊ａ＊ｂ＊）がデバイス値（ＣＭＹＫ値）に変換される（ステップＳ４）。
【００７９】
次に、ＣＰＵ２１により、ステップＳ１で取得された特色名と、ステップＳ４で求められた特色に対応するデバイス値とが対応付けられ、色分解テーブル（図８参照）が作成される（ステップＳ５）。
【００８０】
次に、色分解すべき他の特色がある場合には（ステップＳ６；ＹＥＳ）、ステップＳ１に戻り、ステップＳ１〜ステップＳ５の処理が繰り返される。ステップＳ６において、色分解すべき他の特色がない場合には（ステップＳ６；ＮＯ）、ＣＰＵ２１により、作成された色分解テーブルが記憶部２４に登録される（ステップＳ７）。
以上で、第１の色分解テーブル作成処理が終了する。
【００８１】
登録された色分解テーブルは、特色を含む画像データを出力する際に、画像データ内の特色名と照合され、一致した場合に特色名から対応するデバイス値に変換するために用いられる。なお、色分解テーブルを複数記憶しておき、色分解テーブル間の優先順位を設定可能としてもよい。
【００８２】
以上説明したように、第１の実施の形態によれば、特色用の色変換テーブルをプロセスカラー用の色変換テーブルと変えるだけでなく、特色を更にカテゴリ分けしてカテゴリ毎に色変換テーブルを変えるので、特色に対してカテゴリ毎に適切な色変換を行うことができる。
また、従来の方法では、調整・修正が必要であった蛍光色やメタリック色等についても、インキ成分等による特徴の違いが反映された色変換テーブルを用いることにより、見た目の感覚に近い好ましい色変換が可能となる。また、カテゴリ毎に色変換テーブルが用意されているので、同カテゴリで近い色の特色間の関係（明暗、濃淡、色相等）が逆転することもなくなる。
【００８３】
［第２の実施の形態］
次に、本発明を適用した第２の実施の形態について説明する。
第２の実施の形態における画像形成システムは、第１の実施の形態に示した画像形成システム１と同様の構成によってなるため、図１〜図３を援用し、同一の構成部分については説明を省略する。以下、第２の実施の形態に特徴的な構成及び処理について説明する。
【００８４】
記憶部２４には、更に、色彩値参照テーブルと、カテゴリ判別テーブルと、が記憶されている。色彩値参照テーブルは、“特色名”に対して“色彩値”が対応付けられているテーブルである。カテゴリ判別テーブルは、“特色名”に対して“カテゴリ”が対応付けられているテーブルである。色彩値参照テーブル及びカテゴリ判別テーブルには、代表的なインキメーカーの代表的な特色名を記載しておくことが好ましい。
【００８５】
次に、第２の実施の形態における動作について説明する。
図１０は、プリンタコントローラ２０により実行される第２の色分解テーブル作成処理を示すフローチャートである。この処理は、ユーザが入力した特色名に基づいて、該当する色彩値とカテゴリを色彩値参照テーブル及びカテゴリ判別テーブルから取得して色分解テーブルを作成する場合の例であり、ＣＰＵ２１と、ＲＯＭ２２に記憶されているプログラムとの協働によるソフトウェア処理によって実現される。
【００８６】
まず、ユーザがクライアントＰＣ１０において、操作部１５から登録すべき特色の特色名を入力する。入力された特色名は、ＣＰＵ１１により、ネットワークＩＦ部１７を介してプリンタコントローラ２０に送信される。プリンタコントローラ２０では、ＣＰＵ２１により、ネットワークＩＦ部２５を介してクライアントＰＣ１０から特色名が取得される（ステップＳ１１）。取得された特色名は、ＣＰＵ２１により、ＲＡＭ２３に格納される。
【００８７】
次に、ＣＰＵ１１により、記憶部２４に記憶されている色彩値参照テーブルが参照され、ステップＳ１１で取得された特色名に対応する色彩値が取得される（ステップＳ１２）。取得された色彩値は、ＣＰＵ２１により、ＲＡＭ２３に格納される。
【００８８】
次に、ＣＰＵ１１により、記憶部２４に記憶されているカテゴリ判別テーブルが参照され、ステップＳ１１で取得された特色名に対応するカテゴリが取得される（ステップＳ１３）。取得された色彩値は、ＣＰＵ２１により、ＲＡＭ２３に格納される。
【００８９】
次に、ＣＰＵ２１により、記憶部２４に記憶されている複数の色変換テーブル（蛍光色用色変換テーブル２４１、メタリック色用色変換テーブル２４２、一般特色用色変換テーブル２４３）の中から、ステップＳ１３で取得された特色のカテゴリに応じた色変換テーブルが選択される（ステップＳ１４）。
【００９０】
次に、ＣＰＵ２１により、ステップＳ１４で選択された色変換テーブルに基づいて、ステップＳ１２で取得された特色の色彩値（Ｌ＊ａ＊ｂ＊）がデバイス値（ＣＭＹＫ値）に変換される（ステップＳ１５）。
【００９１】
次に、ＣＰＵ２１により、ステップＳ１１で取得された特色名と、ステップＳ１５で求められた特色に対応するデバイス値とが対応付けられ、色分解テーブル（図８参照）が作成される（ステップＳ１６）。
【００９２】
次に、色分解すべき他の特色がある場合には（ステップＳ１７；ＹＥＳ）、ステップＳ１１に戻り、ステップＳ１１〜ステップＳ１６の処理が繰り返される。ステップＳ１７において、色分解すべき他の特色がない場合には（ステップＳ１７；ＮＯ）、ＣＰＵ２１により、作成された色分解テーブルが記憶部２４に登録される（ステップＳ１８）。
以上で、第２の色分解テーブル作成処理が終了する。
【００９３】
以上説明したように、第２の実施の形態によれば、カテゴリ毎に色変換テーブルを変えるので、特色に対してカテゴリ毎に適切な色変換を行うことができる。
【００９４】
なお、色彩値参照テーブル及びカテゴリ判別テーブルに記載されていない特色名については、第１の実施の形態と同様に、クライアントＰＣ１０や測色器４０から特色のカテゴリ及び色彩値を取得すればよい。
【００９５】
［第３の実施の形態］
次に、本発明を適用した第３の実施の形態について説明する。
第３の実施の形態における画像形成システムは、第１の実施の形態に示した画像形成システム１と同様の構成によってなるため、図１〜図３を援用し、同一の構成部分については説明を省略する。以下、第３の実施の形態に特徴的な構成及び処理について説明する。
【００９６】
ＣＰＵ２１は、ネットワークＩＦ部２５を介して特色名、特色のカテゴリ及び特色の色彩値が含まれる画像データを取得し、記憶部２４に記憶されている複数の色変換テーブルの中から特色のカテゴリに応じた色変換テーブルを選択し、選択された色変換テーブルに基づいて特色の色彩値をデバイス値に変換する。
プリンタＩＦ部２７は、変換されたデバイス値をプリンタ３０に送信する。
【００９７】
次に、第３の実施の形態における動作について説明する。
図１１は、プリンタコントローラ２０により実行される第１の色変換処理を示すフローチャートである。この処理は、画像データに特色の特色名、色彩値、カテゴリが含まれている場合の例であり、ＣＰＵ２１と、ＲＯＭ２２に記憶されているプログラムとの協働によるソフトウェア処理によって実現される。
【００９８】
まず、ユーザがクライアントＰＣ１０において、操作部１５から印刷指示操作を行うと、ＣＰＵ１１により、画像データがネットワークＩＦ部１７を介してプリンタコントローラ２０に送信される。この画像データには、画像データ中で使用されている特色の特色名、色彩値（Ｌ＊ａ＊ｂ＊とする。他の表色系で表された値でもよい。）、カテゴリ（蛍光色、メタリック色、一般特色の３種とする。）が含まれている。プリンタコントローラ２０では、ＣＰＵ２１により、ネットワークＩＦ部２５を介してクライアントＰＣ１０から特色名、色彩値、カテゴリを含む画像データが取得される（ステップＳ２１）。取得された画像データは、ＣＰＵ２１により、ＲＡＭ２３に格納される。
【００９９】
次に、ＣＰＵ２１により、記憶部２４に記憶されている複数の色変換テーブル（蛍光色用色変換テーブル２４１、メタリック色用色変換テーブル２４２、一般特色用色変換テーブル２４３）の中から、ステップＳ２１で取得された画像データに含まれるカテゴリに応じた色変換テーブルが選択される（ステップＳ２２）。
【０１００】
次に、ＣＰＵ２１により、ステップＳ２２で選択された色変換テーブルに基づいて、ステップＳ２１で取得された画像データに含まれる特色の色彩値（Ｌ＊ａ＊ｂ＊）がデバイス値（ＣＭＹＫ値）に変換される（ステップＳ２３）。
【０１０１】
次に、ＣＰＵ２１により、ステップＳ２３で求められた特色に対応するデバイス値に従って、ステップＳ２１で取得された画像データ内の特色部分がデバイス値に変換され、出力用データが作成される（ステップＳ２４）。
【０１０２】
次に、ＣＰＵ２１により、プリンタＩＦ部２７を介して出力用データがプリンタ３０に対して送信される（ステップＳ２５）。
以上で、第１の色変換処理が終了する。
【０１０３】
プリンタ３０では、出力用データが受信され、出力用データに基づいて特色を含む画像が形成される。
【０１０４】
以上説明したように、第３の実施の形態によれば、カテゴリ毎に色変換テーブルを変えるので、特色に対してカテゴリ毎に適切な色変換を行うことができる。
【０１０５】
［第４の実施の形態］
次に、本発明を適用した第４の実施の形態について説明する。
第４の実施の形態における画像形成システムは、第１の実施の形態に示した画像形成システム１と同様の構成によってなるため、図１〜図３を援用し、同一の構成部分については説明を省略する。以下、第４の実施の形態に特徴的な構成及び処理について説明する。
【０１０６】
第２の実施の形態と同様に、記憶部２４には、色彩値参照テーブルと、カテゴリ判別テーブルと、が記憶されている。
ＣＰＵ２１は、ネットワークＩＦ部２５を介して特色名が含まれる画像データを取得し、記憶部２４の色彩値参照テーブルを参照して特色名に対応する色彩値を取得し、記憶部２４のカテゴリ判別テーブルを参照して特色名に対応するカテゴリを取得する。そして、ＣＰＵ２１は、記憶部２４に記憶されている複数の色変換テーブルの中から特色のカテゴリに応じた色変換テーブルを選択し、選択された色変換テーブルに基づいて特色の色彩値をデバイス値に変換する。
プリンタＩＦ部２７は、変換されたデバイス値をプリンタ３０に送信する。
【０１０７】
次に、第４の実施の形態における動作について説明する。
図１２は、プリンタコントローラ２０により実行される第２の色変換処理を示すフローチャートである。この処理は、画像データに特色の特色名が含まれている場合の例であり、ＣＰＵ２１と、ＲＯＭ２２に記憶されているプログラムとの協働によるソフトウェア処理によって実現される。
【０１０８】
まず、ユーザがクライアントＰＣ１０において、操作部１５から印刷指示操作を行うと、ＣＰＵ１１により、画像データがネットワークＩＦ部１７を介してプリンタコントローラ２０に送信される。この画像データには、画像データ中で使用されている特色の特色名が含まれている。プリンタコントローラ２０では、ＣＰＵ２１により、ネットワークＩＦ部２５を介してクライアントＰＣ１０から特色名を含む画像データが取得される（ステップＳ３１）。取得された画像データは、ＣＰＵ２１により、ＲＡＭ２３に格納される。
【０１０９】
次に、ＣＰＵ１１により、記憶部２４に記憶されている色彩値参照テーブルが参照され、ステップＳ３１で取得された画像データに含まれる特色名に対応する色彩値が取得される（ステップＳ３２）。取得された色彩値は、ＣＰＵ２１により、ＲＡＭ２３に格納される。
【０１１０】
次に、ＣＰＵ１１により、記憶部２４に記憶されているカテゴリ判別テーブルが参照され、ステップＳ３１で取得された画像データに含まれる特色名に対応するカテゴリが取得される（ステップＳ３３）。取得された色彩値は、ＣＰＵ２１により、ＲＡＭ２３に格納される。
【０１１１】
次に、ＣＰＵ２１により、記憶部２４に記憶されている複数の色変換テーブル（蛍光色用色変換テーブル２４１、メタリック色用色変換テーブル２４２、一般特色用色変換テーブル２４３）の中から、ステップＳ３３で取得されたカテゴリに応じた色変換テーブルが選択される（ステップＳ３４）。
【０１１２】
次に、ＣＰＵ２１により、ステップＳ３４で選択された色変換テーブルに基づいて、ステップＳ３２で取得された特色の色彩値（Ｌ＊ａ＊ｂ＊）がデバイス値（ＣＭＹＫ値）に変換される（ステップＳ３５）。
【０１１３】
次に、ＣＰＵ２１により、ステップＳ３５で求められた特色に対応するデバイス値に従って、ステップＳ３１で取得された画像データ内の特色部分がデバイス値に変換され、出力用データが作成される（ステップＳ３６）。
【０１１４】
次に、ＣＰＵ２１により、プリンタＩＦ部２７を介して出力用データがプリンタ３０に対して送信される（ステップＳ３７）。
以上で、第２の色変換処理が終了する。
【０１１５】
プリンタ３０では、出力用データが受信され、出力用データに基づいて特色を含む画像が形成される。
【０１１６】
以上説明したように、第４の実施の形態によれば、カテゴリ毎に色変換テーブルを変えるので、特色に対してカテゴリ毎に適切な色変換を行うことができる。
【０１１７】
なお、上記各実施の形態において、各装置を構成する各部の細部構成及び細部動作に関して本発明の趣旨を逸脱することのない範囲で適宜変更可能である。
【０１１８】
例えば、上記各実施の形態では、「所定の特色」として一般特色（蛍光色及びメタリック色以外の特色）を用いた場合について説明したが、どのような色を「所定の特色」とするかは設計事項であり、ユーザが任意に設定可能である。
【符号の説明】
【０１１９】
１  画像形成システム
１０  クライアントＰＣ
１１  ＣＰＵ
１２  ＲＯＭ
１３  ＲＡＭ
１４  記憶部
１５  操作部
１６  表示部
１７  ネットワークＩＦ部
１８  バス
２０  プリンタコントローラ
２１  ＣＰＵ
２２  ＲＯＭ
２３  ＲＡＭ
２４  記憶部
２５  ネットワークＩＦ部
２６  測色器ＩＦ部
２７  プリンタＩＦ部
２８  バス
３０  プリンタ
２４１  蛍光色用色変換テーブル
２４２  メタリック色用色変換テーブル
２４３  一般特色用色変換テーブル
Ｎ  通信ネットワーク
【図１】
2012105233.tif 000012
【図２】
2012105233.tif 000013
【図３】
2012105233.tif 000014
【図４】
2012105233.tif 000015
【図５】
2012105233.tif 000016
【図６】
2012105233.tif 000017
【図７】
2012105233.tif 000018
【図８】
2012105233.tif 000019
【図９】
2012105233.tif 000020
【図１０】
2012105233.tif 000021
【図１１】
2012105233.tif 000022
【図１２】
2012105233.tif 000023